(57)【要約】【課題】プロジェクタにおいて、駆動開始後のランプの温度上昇速度が速くなるようにし、ランプが駆動開始してから定常駆動状態になるまでのウオームアップ期間を短縮させる。【解決手段】プロジェクタのランプ２は、制御部７の制御を受けてバラスト３により駆動される。ランプ２を冷却するブロアファン９ｂは、制御部７のファン制御回路７ａにより駆動される。バラスト３は、ランプ２に供給する電力を制御する電力制御部３ａと、駆動開始時のランプ２の電流制限を行う電流制限回路３ｂと、電流制限するタイマ時間を計時するタイマ回路３ｃと、電圧検知部３ｄとを有している。ランプ２が駆動開始されると、ファン制御回路７ａは、ブロアファン９ｂを、その回転数が、電圧検知部３ｄにより検知されるランプ２の電圧に対し正比例するように、かつ、ランプ２の定常駆動時の回転数よりも小さい回転数となるように駆動する。【選択図】図２
2007328005.tif 000002
【特許請求の範囲】
【請求項１】
画像投影用の光を出射するランプと、
このランプに電力を供給して駆動させるランプ駆動回路と、
前記ランプから出射された光をデジタルマイクロミラーデバイスで反射させることにより画像を形成し、形成した画像を外部スクリーンに投影する機能を有する画像形成部と、
外部から画像データが入力される信号入力部と、
前記画像形成部を制御して、前記信号入力部に入力された画像データに基づく画像を形成させる機能を有する制御部と、
前記各部を収納する筐体と、
前記筐体内部に収納され、前記各部を冷却するための冷却部とを備え、
前記冷却部は、前記筐体内部に、外部から空気を流入させる換気ファンと、少なくとも前記ランプに前記筐体内部の空気を吹き付けるブロアファンとを有しており、
前記ランプ駆動回路は、前記ランプの駆動開始直後から所定のタイマ時間が経過するまで、前記ランプの電流が所定値以下になるように電流制限を行うように構成されているプロジェクタにおいて、
前記ランプ駆動回路は、前記ランプの電圧を検知する電圧検知部をさらに有し、
前記換気ファンは、前記ランプの駆動開始時から所定の回転数で駆動され、
前記ブロアファンは、前記制御部による制御に基づいて、
前記ランプが駆動開始されてから、前記ランプの定常駆動時の前記ブロアファンの所定の回転数よりも小さい回転数であり、かつ、前記電圧検知部により検知された前記ランプの電圧に略比例する回転数で駆動され、
前記ランプの電圧が前記ランプの定常駆動時の電圧に対応する所定の電圧値に到達後、前記所定の回転数で駆動され、
それにより、前記ランプの駆動開始後の温度上昇速度が速くなり、前記ランプのタイマ時間を短縮可能であることを特徴とするプロジェクタ。
【請求項２】
画像投影用の光を出射するランプと、
このランプに電力を供給して駆動させるランプ駆動回路と、
前記ランプから出射された光を用いて、スクリーンに投影する画像を形成する機能を有する画像形成部と、
前記信号入力部に入力された画像データに基づいた画像を前記画像形成部に形成させる機能を有する制御部と、
前記各部を収納する筐体と、
前記筐体に収納されており、少なくとも前記ランプを冷却する冷却風を発生する冷却ファンとを備えたプロジェクタにおいて、
前記ランプ駆動回路は、前記ランプの電圧を検知する電圧検知部をさらに有し、
前記冷却ファンは、前記ランプが駆動開始されてから定常駆動されるまでの間、前記電圧検知部により検知された前記ランプの電圧に応じた回転数であって、かつ、前記ランプの定常駆動時の前記冷却ファンの回転数よりも小さい回転数で駆動されることを特徴とするプロジェクタ。
【請求項３】
前記冷却ファンは、前記ランプが駆動開始されてから、前記電圧検知部により検知された前記ランプの電圧が前記ランプの定常駆動時の電圧に対応する所定の電圧値に到達後、所定の回転数で駆動されることを特徴とする請求項２に記載のプロジェクタ。
【請求項４】
画像投影用の光を出射するランプと、
このランプに電力を供給して駆動させるランプ駆動回路と、
前記ランプから出射された光を用いて、スクリーンに投影する画像を形成する機能を有する画像形成部と、
前記信号入力部に入力された画像データに基づいた画像を前記画像形成部に形成させる機能を有する制御部と、
前記各部を収納する筐体と、
前記筐体に収納されており、少なくとも前記ランプを冷却する冷却風を発生する冷却ファンとを備えたプロジェクタにおいて、
前記制御部は、前記ランプの温度を検知する温度検知部をさらに有し、
前記冷却ファンは、前記ランプが駆動開始されてから定常駆動されるまでの間、前記温度検知部により検知された前記ランプの温度に応じた回転数であって、かつ、前記ランプの定常駆動時の前記冷却ファンの回転数よりも小さい回転数で駆動されることを特徴とするプロジェクタ。
【請求項５】
前記冷却ファンは、前記ランプが駆動開始されてから、前記温度検知部により検知された前記ランプの温度が前記ランプの定常駆動時の温度に対応する所定の温度に到達後、所定の回転数で駆動されることを特徴とする請求項４に記載のプロジェクタ。
【請求項６】
前記筐体内部に外部から空気を流入させる換気ファンをさらに備え、
前記冷却ファンは、前記換気ファンとは別のファンであって、前記換気ファンは、前記ランプの駆動開始時から所定の回転数で駆動するように構成されていることを特徴とする請求項２乃至請求項５のいずれか一項に記載のプロジェクタ。
【発明の詳細な説明】
【技術分野】
【０００１】
本発明は、画像をスクリーンに投影するプロジェクタに関する。
【背景技術】
【０００２】
従来より、スクリーンにパーソナルコンピュータ等の画像を投影する用途に用いられるプロジェクタにおいては、例えば、放電灯等のランプが光源として用いられている。このランプは、安定動作中には、ファンで冷却されながら所定の温度に保たれた状態で点灯して、プロジェクタが安定した画像を投影可能となるように構成されている（例えば、特許文献１乃至特許文献３参照）。
【０００３】
ところで、ランプの点灯開始時には、ランプの温度が安定動作時の所定の温度よりも低いため、ランプの点灯開始時から、ランプが安定動作時であるときと同じ回転数でファンを駆動されると、温度が低い状態のランプが冷却され過ぎることになり、温度が上がりにくく、ランプの駆動開始から安定するまでのウオームアップ期間が長くなってしまうという問題がある。また、例えば、ランプの駆動開始直後にランプの電流が大きくならないようにする所定のタイマ時間を設けて、その電極の長寿命化を図るように構成されている場合にも、ランプの温度が上がりにくいため、タイマ時間を長くしなければならず、ランプのウオームアップ期間が長くなってしまう。ランプのウオームアップ期間が長くなると、プロジェクタが安定した画像を投影可能になるまでに時間がかかってしまう。
【０００４】
従来、ランプを冷却するためのファンの動作については、例えば、下記のようなものが知られている。すなわち、特許文献１には、ランプの電圧値を検出し、その電圧値が最適な値となるように、ファンの回転数を制御するプロジェクタが記載されている。しかしながら、このプロジェクタは、ランプの点灯開始からの時間の経過につれての温度変化に応じてファンの回転数を制御するものではなく、ランプの個体それぞれの、安定動作時の最適電圧値のばらつきに対応するためのものであって、また、複雑な制御を必要とするものである。従って、特許文献１には、上述の問題を解決するために適用可能な技術は記載されていない。
【０００５】
また、特許文献２には、ランプの低電力始動時に、ランプのちらつきを防止するため、ファンの回転速度を低速にするプロジェクタが記載されている。しかしながら、このプロジェクタは、通常の電力より低い低電力で駆動してプロジェクタからの騒音等が小さくなるようにする際に、ファンの回転速度を低速にするものであって、上述のように、定常電圧でプロジェクタを駆動する際にランプのウオームアップ期間を短くするために適用可能なものではない。
【０００６】
さらにまた、特許文献３には、ランプの温度を検出し、その温度検出結果に応じてファンの回転速度を制御するプロジェクタが記載されている。そして、特許文献４には、ランプの温度が上昇するとともに、ファンの回転速度を段階的に上げていくような制御を行うプロジェクタが記載されている。しかしながら、これらに記載のプロジェクタは、いずれもプロジェクタの騒音を低減するために、ランプを冷却可能な範囲でファンの回転速度を下げるように制御するものであり、上述のように、ランプの駆動開始時にランプの温度が速く上がるようにするためのものではない。
【特許文献１】特開２００３−３２２９１２号公報
【特許文献２】特開２００３−２９５３２０号公報
【特許文献３】特開平８−２０１９１６号公報
【特許文献４】特開２００５−１９５７８３号公報
【発明の開示】
【発明が解決しようとする課題】
【０００７】
本発明は、上記問題点を鑑みてなされたものであり、駆動開始後のランプの温度上昇速度が速くなるようにし、ランプが駆動開始してから定常駆動状態になるまでのウオームアップ期間を短縮可能なプロジェクタ装置を提供することを目的とする。
【課題を解決するための手段】
【０００８】
上記目的を達成するため請求項１の発明は、画像投影用の光を出射するランプと、このランプに電力を供給して駆動させるランプ駆動回路と、前記ランプから出射された光をデジタルマイクロミラーデバイスで反射させることにより画像を形成し、形成した画像を外部スクリーンに投影する機能を有する画像形成部と、外部から画像データが入力される信号入力部と、前記画像形成部を制御して、前記信号入力部に入力された画像データに基づく画像を形成させる機能を有する制御部と、前記各部を収納する筐体と、前記筐体内部に収納され、前記各部を冷却するための冷却部とを備え、前記冷却部は、前記筐体内部に、外部から空気を流入させる換気ファンと、少なくとも前記ランプに前記筐体内部の空気を吹き付けるブロアファンとを有しており、前記ランプ駆動回路は、前記ランプの駆動開始直後から所定のタイマ時間が経過するまで、前記ランプの電流が所定値以下になるように電流制限を行うように構成されているプロジェクタにおいて、前記ランプ駆動回路は、前記ランプの電圧を検知する電圧検知部をさらに有し、前記換気ファンは、前記ランプの駆動開始時から所定の回転数で駆動され、前記ブロアファンは、前記制御部による制御に基づいて、前記ランプが駆動開始されてから、前記ランプの定常駆動時の前記ブロアファンの回転数よりも小さい回転数であり、かつ、前記電圧検知部により検知された前記ランプの電圧に略比例する回転数で駆動され、それにより、前記ランプの駆動開始後の温度上昇速度が速くなり、前記ランプのタイマ時間を短縮可能であるものである。
【０００９】
請求項２の発明は、画像投影用の光を出射するランプと、このランプに電力を供給して駆動させるランプ駆動回路と、前記ランプから出射された光を用いて、スクリーンに投影する画像を形成する機能を有する画像形成部と、前記信号入力部に入力された画像データに基づいた画像を前記画像形成部に形成させる機能を有する制御部と、前記各部を収納する筐体と、前記筐体に収納されており、少なくとも前記ランプを冷却する冷却風を発生する冷却ファンとを備えたプロジェクタにおいて、前記ランプ駆動回路は、前記ランプの電圧を検知する電圧検知部をさらに有し、前記冷却ファンは、前記ランプが駆動開始されてから定常駆動されるまでの間、前記電圧検知部により検知された前記ランプの電圧に応じた回転数であって、かつ、前記ランプの定常駆動時の前記冷却ファンの回転数よりも小さい回転数で駆動されるものである。
【００１０】
請求項３の発明は、請求項２の発明において、前記冷却ファンは、前記ランプが駆動開始されてから、前記電圧検知部により検知された前記ランプの電圧が前記ランプの定常駆動時の電圧に対応する所定の電圧値に到達後、所定の回転数で駆動されるものである。
【００１１】
請求項４の発明は、画像投影用の光を出射するランプと、このランプに電力を供給して駆動させるランプ駆動回路と、前記ランプから出射された光を用いて、スクリーンに投影する画像を形成する機能を有する画像形成部と、前記信号入力部に入力された画像データに基づいた画像を前記画像形成部に形成させる機能を有する制御部と、前記各部を収納する筐体と、前記筐体に収納されており、少なくとも前記ランプを冷却する冷却風を発生する冷却ファンとを備えたプロジェクタにおいて、前記制御部は、前記ランプの温度を検知する温度検知部をさらに有し、前記冷却ファンは、前記ランプが駆動開始されてから定常駆動されるまでの間、前記温度検知部により検知された前記ランプの温度に応じた回転数であって、かつ、前記ランプの定常駆動時の前記冷却ファンの回転数よりも小さい回転数で駆動されるものである。
【００１２】
請求項５の発明は、請求項４の発明において、前記冷却ファンは、前記ランプが駆動開始されてから、前記温度検知部により検知された前記ランプの温度が前記ランプの定常駆動時の温度に対応する所定の温度に到達後、所定の回転数で駆動されるものである。
【００１３】
請求項６の発明は、請求項２乃至請求項５のいずれか一項に記載の発明において、前記筐体内部に外部から空気を流入させる換気ファンをさらに備え、前記冷却ファンは、前記換気ファンとは別のファンであって、前記換気ファンは、前記ランプの駆動開始時から所定の回転数で駆動するように構成されているものである。
【発明の効果】
【００１４】
請求項１の発明によれば、ブロアファンが、駆動開始後、ランプの定常駆動時のブロアファンの回転数よりも小さい回転数で駆動されるので、ランプの駆動開始後の温度上昇速度が速くなる。従って、ランプの電流を制限するタイマ時間を短縮することが可能となり、ランプを駆動開始してから定常駆動状態になるまでのウオームアップ期間を短縮することが可能になる。また、ブロアファンは、電圧検知部により検知されたランプの電圧に略比例する回転数で駆動されるので、ランプの温度に合わせて冷却風を必要な風量だけ送風することができる。従って、ランプが冷え過ぎないように、かつ、急速に熱くなり過ぎないようにし、ランプの電極を確実に保護してランプの寿命を確保しつつ、ランプを駆動開始してから定常駆動状態になるまでの時間を短縮することが可能になる。また、ランプの電圧が所定の電圧値に到達後は、ブロアファンが所定の回転数で駆動されるので、ランプの定常駆動時には、複雑な制御を行うことなく簡易で安価な構成により、ランプを十分に冷却可能である。そして、換気ファンは、ランプの駆動開始時から所定の回転数で駆動されるので、上述のようにブロアファンの回転数を小さくしてランプのウオームアップ期間を短縮させた場合であっても、電源部やその他の部位を定常動作時と同様に冷却可能であり、プロジェクタをより安定して動作させることが可能になる。
【００１５】
請求項２の発明によれば、冷却ファンが、駆動開始後、ランプの電圧に応じて、ランプの定常駆動時の冷却ファンの回転数よりも小さい回転数で駆動されるので、ランプを必要なだけ冷却しつつ、ランプの駆動開始後の温度上昇速度を早くすることができる。従って、ランプのウオームアップ期間を短縮することが可能になる。
【００１６】
請求項３の発明によれば、冷却ファンは、ランプの電圧が所定の電圧値に到達した後は所定の回転数で駆動されるので、複雑な制御を行うことなく簡易で安価な構成により、ランプの定常駆動時にランプを十分に冷却可能になる。
【００１７】
請求項４の発明によれば、冷却ファンが、駆動開始後、ランプの温度に応じて、ランプの定常駆動時の冷却ファンの回転数よりも小さい回転数で駆動されるので、上述と同様に、ランプのウオームアップ期間を短縮することが可能になる。冷却ファンはランプの温度に応じた回転数で駆動されるので、ランプの実際の温度に対応して適切な風量の冷却風を送風することが可能となり、より確実にランプの電極を保護しながら、ランプのウオームアップ期間を短縮することが可能になる。
【００１８】
請求項５の発明によれば、冷却ファンは、ランプの温度が所定の温度に到達した後は所定の回転数で駆動されるので、複雑な制御を行うことなく簡易で安価な構成により、ランプの定常駆動時にランプを十分に冷却可能になる。
【００１９】
請求項６の発明によれば、冷却ファンは、換気ファンとは別のファンであり、換気ファンは、ランプの駆動開始時から所定の回転数で駆動されるので、上述のように冷却ファンの回転数を小さくしてランプのウオームアップ期間を短縮させた場合であっても、電源部やその他の部位を定常動作時と同様に冷却可能であり、プロジェクタをより安定して動作させることが可能になる。
【発明を実施するための最良の形態】
【００２０】
以下、本発明の第１の実施形態について図面を参照して説明する。図１は、第１の実施形態に係るプロジェクタ１を示す。プロジェクタ１は、例えば放電灯等のランプ２と、ランプ２を駆動するバラスト（ランプ駆動回路）３と、ランプ２から出射された光を用いて画像を形成する画像形成部４と、外部から画像データが入力される信号入力部５と、外部から操作可能に設けられた操作入力部６と、プロジェクタ１の各部を制御する制御部７と、外部の商用電源に接続された電源部８と、これらの各部を冷却するための冷却部９とを備えている。プロジェクタ１のこれらの各部は、筐体１０に収納されている。このプロジェクタ１は、例えば外部のパーソナルコンピュータ等に接続されて用いられる。プロジェクタ１は、このパーソナルコンピュータ等から信号入力部５を介して入力される画像データに基づいて画像を形成し、その画像を、例えば外部に設置されたスクリーン（図示せず）に投影する機能を有しているものである。
【００２１】
本実施形態において、画像形成部４は、信号入力部５に入力された画像データに基づいて制御部７に制御され、例えばデジタルマイクロミラーデバイス（以下、ＤＭＤと称する）を用いて、その画像データに応じた画像を形成するように構成されている。画像形成部４により形成された画像は、ズーム、フォーカス等を行うことができるように構成されたレンズ４ａを介して、外部のスクリーン等に向け投影されるように構成されている。画像形成部４は、ＤＭＤと、ランプ２から出射された光をカラー画像を形成するための複数の色に変更するためのカラーホイールと、カラーホイールを回転させるためのモータと、制御部７による制御を受けてこれらを駆動するための駆動ドライバ等を有している。画像形成部４は、カラーホイールにより、ランプ２から出射された光の色を変更させながらＤＭＤに照射し、画像データに基づいて駆動されるＤＭＤにより、ランプ２から照射された光を、各色毎に、順次繰り返して、外部のスクリーン上に投影するように構成されている。
【００２２】
操作入力部６は、例えば、プロジェクタ１の筐体１０に、外部からユーザにより操作可能に配置された操作ボタン状のものである。このプロジェクタ１は、操作入力部６が外部から操作されることにより、制御部７が、その操作に応じた制御を行うように構成されている。すなわち、ユーザは、操作入力部６を操作することにより、プロジェクタ１の動作を操作可能である。なお、操作入力部６は、例えば、筐体１０に設けられた受光部とユーザが操作可能なリモートコントローラとにより構成され、受光部とリモートコントローラとの間の赤外線通信等によりユーザがプロジェクタ１を遠隔操作可能にも構成されているものであってもよい。
【００２３】
制御部７は、マイコンやメモリ等により構成されており、図に示すようにプロジェクタ１の各部に接続されている。制御部７は、後述のように冷却部９のファンを制御するファン制御回路７ａを有している。すなわち、制御部７は、バラスト３、画像形成部４、冷却部９等を制御して、プロジェクタ１を動作させる。
【００２４】
冷却部９は、本実施形態において、換気ファン９ａと、ブロアファン（冷却ファン）９ｂとの２つのファンで構成されている。それぞれのファンは、ファンを回転させるモータを有している。換気ファン９ａ及びブロアファン９ｂは、制御部７のファン制御回路７ａにより駆動される。換気ファン９ａは、ファンを回転させることにより、筐体１０の内部に、外部から空気を流入させると共に筐体１０の内部の空気を外部に排気し、制御部７や電源部８等、プロジェクタ１の駆動により発熱する種々の部位の過熱を防止する。この換気ファン９ａは、例えば、ファン制御回路７ａにより所定の電圧で駆動され、プロジェクタ１の動作中に、略一定の回転数で駆動するように構成されている。一方、ブロアファン９ｂは、ランプ２の傍に設けられており、ファンを回転させることにより、筐体１０の内部の空気を吸気してランプ２に吹き付けるように構成されている。本実施形態において、例えば、ランプ２は箱体状のランプボックスにより覆われて筐体１０の内部に収納されており、ブロアファン９ｂは、そのランプボックス内に冷却風を吹き込むダクト部を有している。すなわち、ブロアファン９ｂは、ブロアファン９ｂが吸気した空気が、冷却風としてダクト部を介してランプボックスに吹き込まれることにより、ランプ２を冷却するように構成されている。ファン制御回路７ａは、ブロアファン９ｂの回転数に応じた信号を検知可能に構成されている。ブロアファン９ｂは、ランプ２が安定して駆動されている状態においては、略一定の所定の回転数（回転数Ｒｓとする）で回転するように設定されており、ランプ２が駆動されて発熱しても、ランプ２の温度が、ランプ２の安定駆動に適した温度となるように構成されている。本実施形態において、ランプ２の冷却に関しては、換気ファン９ａの動作はほとんど寄与しない。すなわち、ランプ２の冷却効果は、ほとんどがブロアファン９ｂが動作することにより得られるものである。なお、ブロアファン９ｂは、上述のようなものに限られるものではなく、例えば、換気ファン９ａと同様に筐体１０の外部から吸気した空気をランプ２に向けて冷却風として吹き付けるように構成されていてもよい。
【００２５】
図２は、このプロジェクタ１のバラスト３の構成を示す。バラスト３は、電力制御部３ａと、電流制限回路３ｂと、タイマ回路３ｃと、電圧検知部３ｄとを有する電気回路で構成されており、制御部７の制御に基づいて、ランプ２を駆動する。電力制御部３ａは、ランプ２への電力供給を制御する。例えば、ランプ２の定格が２００ワットである場合に、電力制御部３ａは、ランプ２の定常駆動時にランプ２に供給する電力が２００ワット程度になるように制御する。電流制限回路３ｂは、ランプ２の駆動開始後に、電力制御部３ａに対して、ランプ２に流れる電流が所定値以下になるように電流制限を行う。タイマ回路３ｃは、ランプ２の駆動開始時から、所定のタイマ時間を計時するように構成されているこのタイマ時間は、このプロジェクタ１に搭載されるランプ２の仕様に応じて予め設定されている。電圧検知部３ｄは、ランプ２の駆動時の電圧を検知可能に構成されている。本実施形態において、電流制限回路３ｂは、ランプ２が駆動開始されてからタイマ回路３ｃにより計時されるタイマ時間が終了するまで、ランプ２の電流制限を行うことによりランプ２の電極を保護するように構成されており、それにより、ランプ２の寿命が長くなるように構成されている。
【００２６】
ここで、このブロアファン９ｂは、ランプ２が駆動開始されてから安定駆動されるまで、定常駆動時の回転数より小さい回転数で駆動されるように構成されている。これについて以下に説明する。
【００２７】
図３（ａ）、（ｂ）は、それぞれ、ランプ２の駆動開始時におけるランプ２の電圧の推移とブロアファン９ｂの回転数の推移を示す。本実施形態において、ブロアファン９ｂは、ファン制御回路７ａにより、電圧検知部３ｄにより検知されたランプ２の電圧に略比例する回転数で駆動するように制御される。このランプ２の電圧とブロアファン９ｂの回転数との関係は、ランプ２の電圧が、その定常駆動時の電圧に対応する電圧値Ｖｓになったとき、ブロアファン９ｂの回転数が上述の回転数Ｒｓになるような、略正比例の関係になるように構成されている。
【００２８】
図３（ａ）、（ｂ）を参照しつつ、このプロジェクタ１の駆動開始時における、ランプ２の駆動動作について説明する。なお、図の２点鎖線は、駆動開始から電圧が安定するまでの時間がランプ２よりも長い別のランプについての電圧及び電流の推移を示す。ランプ２は、電力制御部３ａから電力が供給されて駆動開始される（図３（ａ）のＡで示す時点）。このとき、ランプ２は定常駆動時と比較して低温であり、ランプ２の電圧は、例えば１０ボルト程度である。ランプ２に流れる電力は、図に示すように、電流制限回路３ｂによって、定常駆動時にランプ２に流れる電流の値（例えば、３乃至５アンペア程度）よりも小さい所定の電流値（例えば、２アンペア程度）より大きくならないように制限されている。ランプ２が駆動開始されると、タイマ回路３ｃによりタイマ時間の計時が開始されると共に、ランプ２から光が出射されることにより、時間の経過と共にランプ２の温度が上昇する。そして、ランプ２の電圧は、図に示すように、時間の経過と共に上昇し、それと共に、ファン制御回路７ａの制御により、ブロアファン９ｂの回転数も上昇する（図のＡ乃至Ｂで示す部分）。
【００２９】
電流制限回路３ｂは、上述のように、タイマ回路３ｃが計時するタイマ時間中には電流制限を行い、ランプ２の電圧が上昇し、図３（ａ）のＢに示す時点（時刻ｔ１）には、電流が制限された状態で電圧が安定し、ブロアファン９ｂもその電圧値Ｖｒに対応する回転数で駆動される。そして、ランプ２の駆動開始からタイマ時間が経過したとき（時刻ｔ２）、電流制限回路３ｂは、ランプ２の電流制限を解除する（図のＣで示す時点）。電流制限が解除されると、ランプ２に流れる電流は、電力制御部３ａの定常駆動時の制御に基づいた電流値になり、ランプ２により出射される光が明るくなり、図に示すように、ランプ２の電圧がＶｒから時間の経過と共に上昇し、それに伴い、ブロアファン９ｂの回転数も上昇する（図のＣ乃至Ｄで示す部位）。そして、時刻ｔ３には、ランプ２の電圧が、その定常駆動時の電圧に対応する電圧値Ｖｓに達して安定し（図のＤで示す部位）、時刻ｔ３から後には、ランプ２が、安定して光を出射可能な定常駆動状態で、所定の駆動電力にて駆動され、それと共に、ブロアファン９ｂは、上述の所定の回転数Ｒｓで略一定となるように駆動される。すなわち、時刻ｔ３に、ランプ２の駆動開始からのウオームアップ期間が終了し、その後、ランプ２が、ブロアファン９ｂにより冷却されて適切な温度に保たれながら、安定して光を出射することにより、画像形成部４により形成されて投影される画像が安定する。
【００３０】
ここで、このプロジェクタ１においては、タイマ回路３ｃが計時するタイマ時間は、プロジェクタ１に搭載されるランプ２の個体毎に電圧が安定するまでの時間が違うことを考慮して、最も電圧が安定するまでの時間がかかるランプに応じて設定されている。例えば、ランプ２よりも駆動開始から電圧が安定するまでの時間が長い別のランプを用いた場合には、図の２点差線で示すように、ランプの電圧が上述よりゆっくりと上昇し、時刻ｔ１より遅い時刻ｔ１’に、電流が制限された状態で電圧値がＶｒとなり安定し、時刻ｔ２にタイマ時間が経過すると、電流制限回路３ｂによる電流制限が解除される。そして、電流制限が解除されてから後、ランプの電圧は、時間の経過と共に徐々に上昇し、時刻ｔ３’に、ランプの電圧がＶｓに達し、ランプが定常駆動される。すなわち、ランプの温度が上がりにくく、電圧が安定するまでの時間が長いので、ブロアファン９ｂの回転数が大きくなるまでの速さは、図に実線で示す上述の場合よりも遅くなる。
【００３１】
このように、本実施形態においては、上述のように、ブロアファン９ｂが、ランプ２の駆動開始後、ランプ２の定常駆動時のブロアファン９ｂの回転数よりも小さい回転数で駆動されるので、ランプ２の駆動開始後の温度上昇速度が速くなる。従って、従来のプロジェクタのようにランプ２の駆動開始直後からブロアファン９ｂが所定の回転数で駆動される場合と比較して、ランプ２の電流を制限するタイマ時間を短縮することが可能となり、ランプ２を駆動開始してから定常駆動状態になるまでのウオームアップ期間を短縮することが可能になる。また、ブロアファン９ｂは、ランプ２の電圧に略正比例する回転数で駆動されるので、ランプ２の温度に合わせて、冷却風を必要な風量だけ送風することができる。従って、ランプ２が冷え過ぎないように、かつ、急速に熱くなり過ぎないようにし、ランプ２の電極を確実に保護してランプ２の寿命を確保しつつ、ランプ２のウオームアップ期間を短縮することが可能になる。また、ランプ２の電圧が所定の電圧値Ｖｓに到達後は、ブロアファン９ｂが定常駆動時の回転数Ｒｓで駆動されるので、ランプ２の定常駆動時には、複雑な制御を行うことなく簡易で安価な構成により、ランプ２を十分に冷却可能である。
【００３２】
そして、換気ファン９ａは、ランプ２の駆動開始時から所定の電圧により略一定の回転数で駆動されるので、上述のようにブロアファン９ｂの回転数を小さくしてランプ２のウオームアップ期間を短縮させた場合であっても、電源部８やその他の部位を定常動作時と同様に冷却可能であり、プロジェクタ１をより安定して動作させることが可能になる。
【００３３】
なお、ファン制御回路７ａは、ブロアファン９ｂの回転数を、ランプ２の電圧に対し略正比例するように変化させるものに限られず、例えば、ランプ２の電圧に応じて段階的に変化させるように構成されていてもよい。図４は、ファン制御回路７ａがこのような制御を行うときにおけるブロアファン９ｂの回転数の推移の一例を示す。図において、横軸中に示した時刻ｔ１，ｔ２，ｔ３は、上述の図３（ａ）に記載したそれぞれの時刻に対応したものである。図４に示すように、この場合、ブロアファン９ｂは、ランプ２が駆動されてから、ランプ２の電圧が例えば所定の電圧値Ｖｒになるまでの間は、ファン制御回路７ａの制御により、ランプ２の定常駆動時のブロアファン９ｂの回転数Ｒｓよりも小さい所定の回転数Ｒ１で駆動される。そして、ランプ２の電圧が電圧値Ｖｒになり、略一定となっている間は、ブロアファン９ｂは、回転数Ｒ１より大きい所定の回転数Ｒ２で駆動される。そして、その後、時刻ｔ２からランプ２の電圧が電圧値Ｖｒを超えるようになると、ブロアファン９ｂは、回転数Ｒ２より大きく、回転数Ｒｓより小さい所定の回転数Ｒ３で駆動され、時刻ｔ３にランプ２の電圧が電圧値Ｖｓになってからは、ブロアファン９ｂは、上述と同様に回転数Ｒｓで駆動される。従って、このような場合であっても、従来のプロジェクタと比較して、ランプ２の駆動開始後の温度上昇速度が速くなり、ランプ２のウオームアップ期間を短縮することが可能になる。
【００３４】
次に、本発明の第２の実施形態に係るプロジェクタについて、図５を参照して説明する。以下、上述の第１の実施形態と同様の構成部材のものは同一の符号を付し、第１の実施形態と相違する部分についてのみ説明する。第２の実施形態に係るプロジェクタは、ランプ２の電圧ではなく、ランプ２の温度を検知可能に構成されており、ランプ２の温度に応じて上述のブロアファン９ｂの回転数を変化させる点で、上述の第１の実施形態のプロジェクタ１とは異なるものである。
【００３５】
図５は、第２の実施形態に係るプロジェクタ１１のバラスト（ランプ駆動回路）１３の構成を示す。バラスト１３は、上述の第１の実施形態に記載のバラスト３と比較して、電圧検知部３ｄを有していないものである。このバラスト１３の電力制御部３ａ、電流制限回路３ｂ、タイマ回路３ｃによるランプ２の駆動開始直後の動作は、第１の実施形態と同様である。すなわち、ランプ２の駆動開始から所定のタイマ時間が経過するまで、電流制限回路３ｂによりランプ２の電流制限が行われる。そして、タイマ時間が経過してからは、ランプ２は、電流制限が解除されて電力制御部３ａにより所定の駆動電力により駆動される。
【００３６】
第２の実施形態においては、図に示すように、ランプ２の傍に、例えば熱伝対やサーミスタ等の温度検知素子１３ｄが配置されている。そして、制御部７は、この温度検知素子１３ｄが設けられている部位の温度を検出可能な温度検知部１７ｂを有している。温度検知素子１３ｄは、例えば、ランプ２が箱体状のランプボックス等で覆われているような場合には、そのランプボックスの内面等に配置されている。ここで、温度検知部１７ｂは、この温度検知素子１３ｄを用いて、ランプ２のおよその温度を検知可能に構成されている。これは、温度検知素子１３ｄの配置されている位置の温度と、実際のランプ２の温度との相関関係を予め得ておくことにより可能になっている。すなわち、例えば、ランプ２が放電灯である場合、ランプ２の発光部位近傍のガラス管部に熱電対等を巻きつけるようにして配置し、この熱電対によりランプ２の温度を直接測定可能な状態にする。そして、ランプ２の傍には、温度検知素子１３ｄを実際に搭載されるような状態で取り付ける。このようにして、ランプ２の温度を直接測定しながらランプ２を実使用時の状態に近づけて駆動することにより、ランプ２の駆動時におけるランプ２の温度と、温度検知部１７ｂにより検知される温度とを対応させ、これらの相関関係を得る。温度検知部１７ｂには、このようにして得られた相関関係が設定されており、温度検知素子１３ｄの設けられている部位の温度を検知することにより、ランプ２のおよその温度を検知可能となっている。
【００３７】
ここで、第２の実施形態において、制御部７のファン制御回路７ａは、温度検知部１７ｂが検知するランプ２の温度に応じて、ブロアファン９ｂの回転数を制御するように構成されている。なお、ファン制御回路７ａが行うブロアファン９ｂの回転数の制御は、上述と同様であり、例えば、ランプ２の駆動開始から、ランプ２の温度に略正比例するように、ブロアファン９ｂの回転数を徐々に大きくしていくように構成されている。そして、ランプ２の電流制限か解除されてランプ２が定常駆動され、ランプ２の温度が、その定常駆動時の温度に対応する所定の温度に到達後は、ブロアファン９ｂは、所定の回転数Ｒｓで略一定となるように駆動される。
【００３８】
このように、第１の実施形態とは異なり、ランプ２の温度を検知するような構成であっても、その温度に応じてブロアファン９ｂの回転数を制御することにより、上述と同様に、ランプ２の駆動開始後の温度上昇速度を速くすることが可能となる。従って、第２の実施形態においても、従来のプロジェクタのようにランプ２の駆動開始直後からブロアファン９ｂが所定の回転数で駆動される場合と比較して、ランプ２の電流を制限するタイマ時間を短縮し、ランプ２のウオームアップ期間を短縮することが可能になる。また、第２の実施形態においては、ランプ２の実際の温度に対応して適切な風量の冷却風を送風することが可能となるので、より確実にランプ２の電極を保護しながら、ランプ２のウオームアップ期間を短縮することが可能になる。
【００３９】
なお、本発明は上記実施形態の構成に限定されるものではなく、発明の趣旨を変更しない範囲で適宜に種々の変形が可能である。例えば、バラストは、上述のようにランプ２の駆動開始からタイマ時間を計時するように構成されているものに限られるものではない。また、バラスト３は、ランプ２の駆動開始後に電流制限を行うように構成されているものに限られるものではない。さらに、画像形成部４は、ＤＭＤやカラーホイール等を用いず、例えば、ランプ２からの光をＲＧＢ３色等に分光し、各色をそれぞれ液晶パネルを透過させて再び合成することによりカラー画像等を形成するように構成されていてもよい。
【００４０】
そして、例えば、第２の実施形態において、温度検知素子１３ｄがランプ２の発光部位から離れた部位の温度に設けられ、温度検知部１７ｂが間接的にランプ２の温度を検知するのではなく、例えば、発光部位近傍に巻きつけられた熱電対等の温度検知素子を用いて、温度検知部１７ｂがランプ２の温度を直接に検知するように構成されていてもよい。また、温度検知部１７ｂは、非接触式の温度検知方法を用いて、ランプ２の温度を直接に検知するように構成されていてもよい。すなわち、いずれの場合であっても、ランプ２の電圧や温度に応じて、ファン制御回路７ａが、ランプ２が定常駆動されるまでにブロアファン９ｂの回転数をランプ２の定常駆動時よりも小さく制御することにより、ランプ２のウオームアップ期間を短縮させることが可能になる。
【図面の簡単な説明】
【００４１】
【図１】本発明の第１の実施形態に係るプロジェクタの構成の一例を示すブロック図。
【図２】上記プロジェクタのバラスト及び制御部の構成の一例を示すブロック図。
【図３】（ａ）は上記バラストが駆動するランプの電圧の推移を示すグラフ、（ｂ）はそのときのブロアファンの回転数の推移を示すグラフ。
【図４】上記プロジェクタの変形例におけるブロアファンの回転数の推移を示すグラフ。
【図５】本発明の第２の実施形態に係るプロジェクタのバラスト及び制御部の構成の一例を示すブロック図。
【符号の説明】
【００４２】
１  プロジェクタ
２  ランプ
３，１３  バラスト（ランプ駆動回路）
３ａ  電力制御部
３ｂ  電流制限回路
３ｃ  電圧検知部
４  画像形成部
５  信号入力部
７  制御部
９  冷却部
９ａ  換気ファン
９ｂ  ブロアファン（冷却ファン）
１０  筐体
１７ｂ  温度検知部
【図１】
2007328005.tif 000003
【図２】
2007328005.tif 000004
【図３】
2007328005.tif 000005
【図４】
2007328005.tif 000006
【図５】
2007328005.tif 000007